(57)【要約】【課題】端末器間の信号伝送における伝送損失を低減することができる分岐器を提供する。【解決手段】幹線端子Ｔａ，Ｔｂと分岐端子Ｔｃ，Ｔｄとの間には、端末器間で送受信される伝送信号を通す経路として、受信経路Ｒｘ１と送信経路Ｔｘ１との２つの経路が形成される。送信経路Ｔｘ１が抵抗Ｒ３，Ｒ４とコンデンサＣ３，Ｃ４とダイオードＤ１，Ｄ２とからなるのに対し、受信経路Ｒｘ１はトランスＴ１を含むので、受信経路Ｒｘ１と送信経路Ｔｘ１とを比較すると、送信経路Ｔｘ１を通過する場合の方が伝送信号の伝送損失は小さくなる。ダイオードＤ１，Ｄ２およびインダクタＬ１の直列回路は、端末器Ａ１が伝送信号の送信時に出力する直流のバイアス電圧を受けて、端末器間の信号伝送に用いる経路を受信経路Ｒｘ１から送信経路Ｔｘ１に切り替える切替手段として機能する。【選択図】図１
2010010782.tif 000002
【特許請求の範囲】
【請求項１】
平衡線路からなる幹線と、当該幹線から分岐されそれぞれ端末器に接続される複数の分岐線とを含む伝送線路を介して、複数台の端末器間で信号伝送を行う伝送システムに用いられ、幹線と各分岐線との間にそれぞれ挿入される分岐器であって、幹線が接続される幹線端子と、分岐線が接続される分岐端子と、幹線端子と分岐端子との間に形成された受信経路および送信経路の２つの経路と、分岐端子に接続されている端末器からの伝送信号の送信時には受信経路よりも伝送損失の小さい送信経路に切り替わるように、前記端末器から伝送信号の送信時あるいは受信時に出力される直流のバイアス電圧を受けて端末器間の信号伝送に用いる経路を受信経路と送信経路との間で切り替える切替手段とを備えることを特徴とする分岐器。
【請求項２】
前記切替手段は、前記分岐端子に接続されている前記端末器からの伝送信号の送信時に、前記受信経路を分岐端子から電気的に切り離すことを特徴とする請求項１記載の分岐器。
【請求項３】
前記幹線端子と前記分岐端子との間には、幹線端子側を１次側とし分岐端子側を２次側とするトランスが挿入され、当該トランスは前記送信経路と前記受信経路とで共用されており、前記切替手段は、分岐端子に接続されている前記端末器からの伝送信号の送信時には前記トランスの２次巻線に対する１次巻線の巻数比が小さくなるように、前記巻数比を切り替えることにより経路を切り替えることを特徴とする請求項１記載の分岐器。
【請求項４】
前記幹線端子と前記分岐端子との間には、幹線端子側を１次側とし分岐端子側を２次側とするトランスが挿入され、前記受信経路は前記トランスを含む経路であって、前記送信経路は前記トランスを介すことなく分岐端子側から幹線端子側へ伝送信号を通過させる迂回路を含む経路であることを特徴とする請求項１記載の分岐器。
【請求項５】
前記切替手段は、前記分岐端子に接続されている前記端末器からの伝送信号の送信時に、前記トランスの２次巻線を分岐端子から電気的に切り離すことを特徴とする請求項４記載の分岐器。
【請求項６】
前記幹線端子と前記分岐端子との間には抵抗素子が挿入されており、前記受信経路は前記抵抗素子を含む経路であって、前記送信経路は前記抵抗素子を介すことなく分岐端子側から幹線端子側へ伝送信号を通過させる迂回路を含む経路であることを特徴とする請求項１記載の分岐器。
【請求項７】
前記トランスの２次巻線には中間タップが形成されており、前記受信経路は、前記中間タップと一方の前記分岐端子との間に挿入されたダイオードを有し、前記切替手段は、前記端末器からの前記バイアス電圧を受けて前記ダイオードをオンすることにより経路を受信経路に切り替えることを特徴とする請求項３記載の分岐器。
【請求項８】
前記トランスの２次巻線には中間タップが形成されており、前記受信経路は、前記中間タップと一方の前記分岐端子との間に挿入されたツェナダイオードを有し、前記切替手段は、前記端末器からの前記バイアス電圧を受けて前記ツェナダイオードをオンすることにより経路を受信経路に切り替えることを特徴とする請求項３記載の分岐器。
【請求項９】
前記トランスの２次巻線には中間タップが形成されており、前記受信経路は、前記中間タップと一方の前記分岐端子との間に挿入されたダイオードおよびツェナダイオードの直列回路を有し、前記切替手段は、前記端末器からの前記バイアス電圧を受けて前記ダイオードおよび前記ツェナダイオードをオンすることにより経路を受信経路に切り替えることを特徴とする請求項３記載の分岐器。
【請求項１０】
前記トランスの１次巻線には中間タップが２箇所形成されており、前記受信経路は、トランスの１次巻線の各端部と各幹線端子との間に挿入された抵抗およびコンデンサの直列回路を有し、前記送信経路は、各中間タップと各幹線端子との間にそれぞれ挿入されたダイオードを有し、前記切替手段は、前記端末器からの前記バイアス電圧を受けて前記ダイオードをオンすることにより経路を送信経路に切り替えることを特徴とする請求項３記載の分岐器。
【請求項１１】
前記トランスの１次巻線には中間タップが２箇所形成されており、前記受信経路は、トランスの１次巻線の各端部と各幹線端子との間に挿入された抵抗およびコンデンサの直列回路を有し、前記送信経路は、各中間タップと各幹線端子との間にそれぞれ挿入されたツェナダイオードを有し、前記切替手段は、前記端末器からの前記バイアス電圧を受けて前記ツェナダイオードをオンすることにより経路を送信経路に切り替えることを特徴とする請求項３記載の分岐器。
【請求項１２】
前記トランスの１次巻線には中間タップが２箇所形成されており、前記受信経路は、トランスの１次巻線の各端部と各幹線端子との間に挿入された抵抗およびコンデンサの直列回路を有し、前記送信経路は、各中間タップと各幹線端子との間にそれぞれ挿入されたダイオードおよびツェナダイオードの直列回路を有し、前記切替手段は、前記端末器からの前記バイアス電圧を受けて前記ダイオードおよび前記ツェナダイオードをオンすることにより経路を送信経路に切り替えることを特徴とする請求項３記載の分岐器。
【請求項１３】
前記トランスの２次巻線には中間タップが２箇所形成されており、前記送信経路は、トランスの２次巻線の各端部と各分岐端子との間にそれぞれ挿入されたダイオードを有し、前記受信経路は、各中間タップと各分岐端子との間にそれぞれ挿入された抵抗およびコンデンサの直列回路を有し、前記切替手段は、前記端末器からの前記バイアス電圧を受けて前記ダイオードをオンすることにより経路を送信経路に切り替えることを特徴とする請求項３記載の分岐器。
【請求項１４】
前記トランスの２次巻線には中間タップが２箇所形成されており、前記送信経路は、トランスの２次巻線の各端部と各分岐端子との間にそれぞれ挿入されたツェナダイオードを有し、前記受信経路は、各中間タップと各分岐端子との間にそれぞれ挿入された抵抗およびコンデンサの直列回路を有し、前記切替手段は、前記端末器からの前記バイアス電圧を受けて前記ツェナダイオードをオンすることにより経路を送信経路に切り替えることを特徴とする請求項３記載の分岐器。
【請求項１５】
前記トランスの２次巻線には中間タップが２箇所形成されており、前記送信経路は、トランスの２次巻線の各端部と各分岐端子との間にそれぞれ挿入されたダイオードおよびツェナダイオードの直列回路を有し、前記受信経路は、各中間タップと各分岐端子との間にそれぞれ挿入された抵抗およびコンデンサの直列回路を有し、前記切替手段は、前記端末器からの前記バイアス電圧を受けて前記ダイオードおよび前記ツェナダイオードをオンすることにより経路を送信経路に切り替えることを特徴とする請求項３記載の分岐器。
【請求項１６】
前記切替手段は、前記分岐端子に接続されている前記端末器からの前記バイアス電圧を受けて前記端末器間の信号伝送に用いる経路を切り替える第１切替部と、前記バイアス電圧の極性が反転したときに当該バイアス電圧を受けて端末器間の信号伝送に用いる経路を切り替える第２切替部とを有することを特徴とする請求項１ないし請求項１５のいずれか１項に記載の分岐器。
【発明の詳細な説明】
【技術分野】
【０００１】
本発明は、平衡線路からなる幹線と、当該幹線から分岐されそれぞれ端末器に接続される複数の分岐線とを含む伝送線路を介して、複数台の端末器間で信号伝送を行う伝送システムに用いられ、幹線と各分岐線との分岐点にそれぞれ挿入される分岐器に関するものである。
【背景技術】
【０００２】
従来から、図１６に示すように平衡線路（ペア線）からなる伝送線路を介して接続された複数台の端末器Ａ０〜Ａｍ（以下、各々を特に区別しないときには単に端末器Ａという）間で信号伝送を行う伝送システムであって、バス型の接続形態（トポロジ）を採用した伝送システムが知られている。伝送線路は、主となる幹線Ｃａ１〜Ｃａｍ（以下、各々を区別したときには単に幹線Ｃａという）と当該幹線Ｃａから分岐された複数の分岐線Ｃｂ１〜Ｃｂｍ（以下、各々を区別したときには単に分岐線Ｃｂという）とを有し、各分岐線Ｃｂの先端にそれぞれ端末器Ａが接続された構成を有する。この伝送システムでは、幹線Ｃａと分岐線Ｃｂとの各分岐点にそれぞれ分岐器Ｂ１〜Ｂｍ（以下、各々を区別したときには単に分岐器Ｂという）を挿入し、インピーダンスの不整合（ミスマッチ）による伝送信号の反射等の影響を抑制することが一般的である。
【０００３】
分岐器Ｂを用いて反射等の影響を抑制するためには、以下の２つの条件を満たすように分岐器Ｂを設計する必要がある。１つ目の条件は、分岐器Ｂに接続された端末器Ａでの伝送信号の受信時において、幹線Ｃａ側から分岐線Ｃｂ側を見たときのインピーダンスが伝送線路の特性インピーダンスよりも高くなっていることであって、２つ目の条件は、分岐器Ｂに接続された端末器Ａからの伝送信号の送信時において、分岐線Ｃｂ側から幹線Ｃａ側を見たときのインピーダンスが伝送線路の特性インピーダンスと一致していることである。
【０００４】
上記条件を満たす分岐器Ｂの構成例を図１７に示す。図１７に示す分岐器Ｂは、幹線Ｃａが接続される幹線端子Ｔａ，Ｔｂと、分岐線Ｃｂが接続される分岐端子Ｔｃ，Ｔｄとを備え、幹線端子Ｔａ，Ｔｂと分岐端子Ｔｃ，Ｔｄとの間に幹線端子Ｔａ，Ｔｂ側を１次巻線、分岐端子Ｔｃ，Ｔｄ側を２次巻線とするトランスＴ１が設けられた構成を有する。さらに、各幹線端子Ｔａ，ＴｂとトランスＴ１の１次巻線との間にはそれぞれ抵抗Ｒ１，Ｒ２が挿入されている。
【０００５】
なお、この分岐器Ｂは幹線Ｃａにおける分岐線Ｃｂの分岐点となる各部位に挿入される形で接続されるので、幹線端子Ｔａ，Ｔｂは、幹線Ｃａの上流側（図１７の左側）と幹線Ｃａの下流側（図１７の右側）とのそれぞれに対応して２組設けられており、上流側の幹線端子Ｔａ，Ｔｂと下流側の幹線端子Ｔａ’，Ｔｂ’とが互いに接続された構成を有する。また、図１７に示すように端末器Ａを配線端（分岐線Ｃｂの先端）に接続する場合には、通常、端末器Ａは伝送線路とのインピーダンス整合（インピーダンスマッチング）を実現するために、伝送線路の特性インピーダンスに近いインピーダンスに設定されている。
【０００６】
ここにおいて、上記１つ目の条件を満たすためには、トランスＴ１の１次巻線の巻数Ｎ１と２次巻線の巻数Ｎ２との比である巻数比ｎ（＝Ｎ１／Ｎ２）を、
ｎ＞１（つまり、Ｎ１＞Ｎ２）
とする必要がある。このとき、幹線Ｃａ側から見た分岐線Ｃｂ側のインピーダンスＺ１は、
Ｚ１＝ｎ２×Ｚａ＋ｒ１＋ｒ２
となる。なお、Ｚａは伝送線路の特性インピーダンスを表し、ｒ１，ｒ２はそれぞれ抵抗Ｒ１，Ｒ２の抵抗値を表している。
【０００７】
また、分岐線Ｃｂ側から見た幹線Ｃａ側のインピーダンスＺ２は、
Ｚ２＝（１／ｎ）２×（ｒ１＋ｒ２＋Ｚａ／２）
で表されるので、上記２つ目の条件を満たすためには、抵抗Ｒ１，Ｒ２の抵抗値ｒ１，ｒ２は、
Ｚａ≒（１／ｎ）２×（ｒ１＋ｒ２＋Ｚａ／２）
を満たす必要がある。
【特許文献１】特開２００７−１６６１０９号公報
【発明の開示】
【発明が解決しようとする課題】
【０００８】
ところで、各分岐器Ｂにおいては、図１８（ａ）に示すように幹線Ｃａ−幹線Ｃａ間をエネルギが通過するときの通過損失ＢＬ１と、図１８（ａ），（ｂ）に示すように幹線Ｃａ−分岐線Ｃｂ間をエネルギが通過するときの分岐損失ＢＬ２との関係は、一般的には図１８のように、
ＢＬ１≪ＢＬ２
となるため、分岐器Ｂを介して幹線Ｃａ−分岐線Ｃｂ間をエネルギが通過する際に比較的大きな伝送損失（ロス）が生じる。
【０００９】
図１６の伝送システムにおいて、端末器Ａ１から端末器Ａｍへ伝送信号を送信する場合を例として考えると、伝送信号の伝送損失は、反射等の影響がないものとして、分岐線Ｃｂ１を通過する際のロス（ケーブル損失）と、分岐器Ｂ１を分岐端子Ｔｃ，Ｔｄ側から幹線端子Ｔａ’，Ｔｂ’側へ通過する際の分岐損失と、分岐器Ｂ１−分岐器Ｂｍ間に存在する分岐器Ｂを通過する際の通過損失と、分岐器Ｂ１−分岐器Ｂｍ間に存在する幹線Ｃａでのケーブル損失と、分岐器Ｂｍを幹線端子Ｔａ，Ｔｂ側から分岐端子Ｔｃ，Ｔｄ側へ通過する際の分岐損失と、分岐線Ｃｂｍを通過する際のケーブル損失とを足し合わせたものになる。
【００１０】
したがって、分岐器Ｂを用いた接続形態では、インピーダンスの不整合による影響を抑制できるという利点がある反面、別々の分岐線Ｂに接続された端末器Ａ間の信号伝送においては、常に、伝送信号を送信する側の端末器Ａが接続された分岐器Ｂと、伝送信号を受信する側の端末器Ａが接続された分岐器Ｂとの２箇所で分岐損失ＢＬ２が生じ、結果的に伝送損失が大きくなるという問題がある。
【００１１】
本発明は上記事由に鑑みて為されたものであって、端末器間の信号伝送における伝送損失を低減することができる分岐器を提供することを目的とする。
【課題を解決するための手段】
【００１２】
請求項１の発明は、平衡線路からなる幹線と、当該幹線から分岐されそれぞれ端末器に接続される複数の分岐線とを含む伝送線路を介して、複数台の端末器間で信号伝送を行う伝送システムに用いられ、幹線と各分岐線との間にそれぞれ挿入される分岐器であって、幹線が接続される幹線端子と、分岐線が接続される分岐端子と、幹線端子と分岐端子との間に形成された受信経路および送信経路の２つの経路と、分岐端子に接続されている端末器からの伝送信号の送信時には受信経路よりも伝送損失の小さい送信経路に切り替わるように、前記端末器から伝送信号の送信時あるいは受信時に出力される直流のバイアス電圧を受けて端末器間の信号伝送に用いる経路を受信経路と送信経路との間で切り替える切替手段とを備えることを特徴とする。
【００１３】
この構成によれば、幹線端子と分岐端子との間には受信経路と送信経路との２つの経路が形成されており、分岐端子に接続されている端末器からの伝送信号の送信時には受信経路よりも伝送損失の小さい送信経路に切り替わるように、切替手段によって端末器間の信号伝送に用いる経路を切り替えているので、分岐端子に接続されている端末器からの伝送信号の送信時には、伝送信号は伝送損失の小さい送信経路を通して分岐器を通過する。したがって、端末器間で信号伝送を行う際には、伝送信号を送信する側の端末器が接続された分岐器で生じる分岐損失を従来構成に比べて低減することができ、その結果、端末器間での伝送損失を低減することができる。
【００１４】
請求項２の発明は、請求項１の発明において、前記切替手段が、前記分岐端子に接続されている前記端末器からの伝送信号の送信時に、前記受信経路を分岐端子から電気的に切り離すことを特徴とする。
【００１５】
この構成によれば、分岐端子に接続されている端末器からの伝送信号の送信時に、当該伝送信号が受信経路側に漏洩することを防止できるので、伝送損失をより低減することができる。
【００１６】
請求項３の発明は、請求項１の発明において、前記幹線端子と前記分岐端子との間には、幹線端子側を１次側とし分岐端子側を２次側とするトランスが挿入され、当該トランスが前記送信経路と前記受信経路とで共用されており、前記切替手段が、分岐端子に接続されている前記端末器からの伝送信号の送信時には前記トランスの２次巻線に対する１次巻線の巻数比が小さくなるように、前記巻数比を切り替えることにより経路を切り替えることを特徴とする。
【００１７】
この構成によれば、送信経路と受信経路とでトランスを共用しているから、送信経路と受信経路とのそれぞれで個別のトランスを用いる場合に比べて、部品点数を削減することができ、回路構成の簡略化、小型化を図ることができる。
【００１８】
請求項４の発明は、請求項１の発明において、前記幹線端子と前記分岐端子との間には、幹線端子側を１次側とし分岐端子側を２次側とするトランスが挿入され、前記受信経路が前記トランスを含む経路であって、前記送信経路が前記トランスを介すことなく分岐端子側から幹線端子側へ伝送信号を通過させる迂回路を含む経路であることを特徴とする。
【００１９】
この構成によれば、トランスを迂回する迂回路を送信経路に用いることで、トランスおよび迂回路以外の経路を受信経路と送信経路とで共有することができ、送信経路と受信経路とのそれぞれで完全に別の経路を形成する場合に比べて、部品点数を削減することができ、回路構成の簡略化、小型化を図ることができる。
【００２０】
請求項５の発明は、請求項４の発明において、前記切替手段が、前記分岐端子に接続されている前記端末器からの伝送信号の送信時に、前記トランスの２次巻線を分岐端子から電気的に切り離すことを特徴とする。
【００２１】
この構成によれば、分岐端子に接続されている端末器からの伝送信号の送信時に、当該伝送信号がトランス側に漏洩することを防止できるので、伝送損失をより低減することができる。
【００２２】
請求項６の発明は、請求項１の発明において、前記幹線端子と前記分岐端子との間には抵抗素子が挿入されており、前記受信経路が前記抵抗素子を含む経路であって、前記送信経路が前記抵抗素子を介すことなく分岐端子側から幹線端子側へ伝送信号を通過させる迂回路を含む経路であることを特徴とする。
【００２３】
この構成によれば、抵抗素子を迂回する迂回路を送信経路に用いることで、抵抗素子および迂回路以外の経路を受信経路と送信経路とで共有することができ、送信経路と受信経路とのそれぞれで完全に別の経路を形成する場合に比べて、部品点数を削減することができ、回路構成の簡略化、小型化を図ることができる。しかも、抵抗素子を用いたことで、トランスを用いた構成に比較して一層の小型化を図ることができる。
【００２４】
請求項７の発明は、請求項３の発明において、前記トランスの２次巻線には中間タップが形成されており、前記受信経路が、前記中間タップと一方の前記分岐端子との間に挿入されたダイオードを有し、前記切替手段が、前記端末器からの前記バイアス電圧を受けて前記ダイオードをオンすることにより経路を受信経路に切り替えることを特徴とする。
【００２５】
この構成によれば、比較的簡単な回路構成でトランスの巻線比を切り替えることができる。
【００２６】
請求項８の発明は、請求項３の発明において、前記トランスの２次巻線には中間タップが形成されており、前記受信経路が、前記中間タップと一方の前記分岐端子との間に挿入されたツェナダイオードを有し、前記切替手段が、前記端末器からの前記バイアス電圧を受けて前記ツェナダイオードをオンすることにより経路を受信経路に切り替えることを特徴とする。
【００２７】
この構成によれば、比較的簡単な回路構成でトランスの巻線比を切り替えることができる。また、送信経路への切り替えに通常のダイオードでなくツェナダイオードを用いているから、ツェナ電圧が伝送信号の振幅電圧以上のツェナダイオードを用いることにより、バイアス電圧が印加されていない状態で伝送信号が入力された場合に当該伝送信号によりツェナダイオードがオンして送信経路に切り替わるという不具合を回避することができる。
【００２８】
請求項９の発明は、請求項３の発明において、前記トランスの２次巻線には中間タップが形成されており、前記受信経路が、前記中間タップと一方の前記分岐端子との間に挿入されたダイオードおよびツェナダイオードの直列回路を有し、前記切替手段が、前記端末器からの前記バイアス電圧を受けて前記ダイオードおよび前記ツェナダイオードをオンすることにより経路を受信経路に切り替えることを特徴とする。
【００２９】
この構成によれば、比較的簡単な回路構成でトランスの巻線比を切り替えることができる。また、送信経路への切り替えにツェナダイオードを用いているから、ツェナ電圧が伝送信号の振幅電圧以上のツェナダイオードを用いることにより、バイアス電圧が印加されていない状態で伝送信号が入力された場合に当該伝送信号によりツェナダイオードがオンして送信経路に切り替わるという不具合を回避することができる。さらに、ツェナダイオードと直列に通常のダイオードを接続しているので、ツェナダイオードの浮遊容量を経由して伝送信号が通過しようとしても、浮遊容量の小さいダイオードで信号経路を遮断でき、バイアス電圧が印加されていない状態で伝送信号が送信経路を通過することを回避できる。
【００３０】
請求項１０の発明は、請求項３の発明において、前記トランスの１次巻線には中間タップが２箇所形成されており、前記受信経路が、トランスの１次巻線の各端部と各幹線端子との間に挿入された抵抗およびコンデンサの直列回路を有し、前記送信経路が、各中間タップと各幹線端子との間にそれぞれ挿入されたダイオードを有し、前記切替手段が、前記端末器からの前記バイアス電圧を受けて前記ダイオードをオンすることにより経路を送信経路に切り替えることを特徴とする。
【００３１】
この構成によれば、切替手段が端末器からのバイアス電圧を受けて経路を送信経路に切り替えるので、当該端末器は、伝送信号の送信時にバイアス電圧を出力するものであればよく、結果的に、端末器の待機電力を低く抑えることができる。しかも、トランスの１次巻線の巻数を変えることで巻数比を変えているので、トランスの１次側において受信経路と送信経路とを分離することができる。
【００３２】
請求項１１の発明は、請求項３の発明において、前記トランスの１次巻線には中間タップが２箇所形成されており、前記受信経路が、トランスの１次巻線の各端部と各幹線端子との間に挿入された抵抗およびコンデンサの直列回路を有し、前記送信経路が、各中間タップと各幹線端子との間にそれぞれ挿入されたツェナダイオードを有し、前記切替手段が、前記端末器からの前記バイアス電圧を受けて前記ツェナダイオードをオンすることにより経路を送信経路に切り替えることを特徴とする。
【００３３】
この構成によれば、切替手段が端末器からのバイアス電圧を受けて経路を送信経路に切り替えるので、当該端末器は、伝送信号の送信時にバイアス電圧を出力するものであればよく、結果的に、端末器の待機電力を低く抑えることができる。しかも、トランスの１次巻線の巻数を変えることで巻数比を変えているので、トランスの１次側において受信経路と送信経路とを分離することができる。また、送信経路への切り替えに通常のダイオードでなくツェナダイオードを用いているから、ツェナ電圧が伝送信号の振幅電圧以上のツェナダイオードを用いることにより、バイアス電圧が印加されていない状態で伝送信号が入力された場合に当該伝送信号によりツェナダイオードがオンして送信経路に切り替わるという不具合を回避することができる。
【００３４】
請求項１２の発明は、請求項３の発明において、前記トランスの１次巻線には中間タップが２箇所形成されており、前記受信経路が、トランスの１次巻線の各端部と各幹線端子との間に挿入された抵抗およびコンデンサの直列回路を有し、前記送信経路が、各中間タップと各幹線端子との間にそれぞれ挿入されたダイオードおよびツェナダイオードの直列回路を有し、前記切替手段が、前記端末器からの前記バイアス電圧を受けて前記ダイオードおよび前記ツェナダイオードをオンすることにより経路を送信経路に切り替えることを特徴とする。
【００３５】
この構成によれば、切替手段が端末器からのバイアス電圧を受けて経路を送信経路に切り替えるので、当該端末器は、伝送信号の送信時にバイアス電圧を出力するものであればよく、結果的に、端末器の待機電力を低く抑えることができる。しかも、トランスの１次巻線の巻数を変えることで巻数比を変えているので、トランスの１次側において受信経路と送信経路とを分離することができる。また、送信経路への切り替えにツェナダイオードを用いているから、ツェナ電圧が伝送信号の振幅電圧以上のツェナダイオードを用いることにより、バイアス電圧が印加されていない状態で伝送信号が入力された場合に当該伝送信号によりツェナダイオードがオンして送信経路に切り替わるという不具合を回避することができる。さらに、ツェナダイオードと直列に通常のダイオードを接続しているので、ツェナダイオードの浮遊容量を経由して伝送信号が通過しようとしても、浮遊容量の小さいダイオードで信号経路を遮断でき、バイアス電圧が印加されていない状態で伝送信号が送信経路を通過することを回避できる。
【００３６】
請求項１３の発明は、請求項３の発明において、前記トランスの２次巻線には中間タップが２箇所形成されており、前記送信経路が、トランスの２次巻線の各端部と各分岐端子との間にそれぞれ挿入されたダイオードを有し、前記受信経路が、各中間タップと各分岐端子との間にそれぞれ挿入された抵抗およびコンデンサの直列回路を有し、前記切替手段は、前記端末器からの前記バイアス電圧を受けて前記ダイオードをオンすることにより経路を送信経路に切り替えることを特徴とする。
【００３７】
この構成によれば、切替手段が端末器からのバイアス電圧を受けて経路を送信経路に切り替えるので、当該端末器は、伝送信号の送信時にバイアス電圧を出力するものであればよく、結果的に、端末器の待機電力を低く抑えることができる。しかも、トランスの２次側にダイオードを設けているから、トランスの１次側にバイアス電圧を供給する必要はなく、バイアス電圧に関してトランスの１次側と２次側とを絶縁することができる。
【００３８】
請求項１４の発明は、請求項３の発明において、前記トランスの２次巻線には中間タップが２箇所形成されており、前記送信経路が、トランスの２次巻線の各端部と各分岐端子との間にそれぞれ挿入されたツェナダイオードを有し、前記受信経路が、各中間タップと各分岐端子との間にそれぞれ挿入された抵抗およびコンデンサの直列回路を有し、前記切替手段が、前記端末器からの前記バイアス電圧を受けて前記ツェナダイオードをオンすることにより経路を送信経路に切り替えることを特徴とする。
【００３９】
この構成によれば、切替手段が端末器からのバイアス電圧を受けて経路を送信経路に切り替えるので、当該端末器は、伝送信号の送信時にバイアス電圧を出力するものであればよく、結果的に、端末器の待機電力を低く抑えることができる。しかも、トランスの２次側にツェナダイオードを設けているから、トランスの１次側にバイアス電圧を供給する必要はなく、バイアス電圧に関してトランスの１次側と２次側とを絶縁することができる。また、送信経路への切り替えに通常のダイオードでなくツェナダイオードを用いているから、ツェナ電圧が伝送信号の振幅電圧以上のツェナダイオードを用いることにより、バイアス電圧が印加されていない状態で伝送信号が入力された場合に当該伝送信号によりツェナダイオードがオンして送信経路に切り替わるという不具合を回避することができる。
【００４０】
請求項１５の発明は、請求項３の発明において、前記トランスの２次巻線には中間タップが２箇所形成されており、前記送信経路が、トランスの２次巻線の各端部と各分岐端子との間にそれぞれ挿入されたダイオードおよびツェナダイオードの直列回路を有し、前記受信経路が、各中間タップと各分岐端子との間にそれぞれ挿入された抵抗およびコンデンサの直列回路を有し、前記切替手段が、前記端末器からの前記バイアス電圧を受けて前記ダイオードおよび前記ツェナダイオードをオンすることにより経路を送信経路に切り替えることを特徴とする。
【００４１】
この構成によれば、切替手段が端末器からのバイアス電圧を受けて経路を送信経路に切り替えるので、当該端末器は、伝送信号の送信時にバイアス電圧を出力するものであればよく、結果的に、端末器の待機電力を低く抑えることができる。しかも、トランスの２次側にダイオードおよびツェナダイオードを設けているから、トランスの１次側にバイアス電圧を供給する必要はなく、バイアス電圧に関してトランスの１次側と２次側とを絶縁することができる。また、送信経路への切り替えにツェナダイオードを用いているから、ツェナ電圧が伝送信号の振幅電圧以上のツェナダイオードを用いることにより、バイアス電圧が印加されていない状態で伝送信号が入力された場合に当該伝送信号によりツェナダイオードがオンして送信経路に切り替わるという不具合を回避することができる。さらに、ツェナダイオードと直列に通常のダイオードを接続しているので、ツェナダイオードの浮遊容量を経由して伝送信号が通過しようとしても、浮遊容量の小さいダイオードで信号経路を遮断でき、バイアス電圧が印加されていない状態で伝送信号が送信経路を通過することを回避できる。
【００４２】
請求項１６の発明は、請求項１ないし請求項１５のいずれかの発明において、前記切替手段が、前記分岐端子に接続されている前記端末器からの前記バイアス電圧を受けて前記端末器間の信号伝送に用いる経路を切り替える第１切替部と、前記バイアス電圧の極性が反転したときに当該バイアス電圧を受けて端末器間の信号伝送に用いる経路を切り替える第２切替部とを有することを特徴とする。
【００４３】
この構成によれば、分岐端子に接続されている端末器からのバイアス電圧の極性にかかわらず、当該端末器からの伝送信号の送信時には送信経路に切り替えることができるので、端末器を分岐器に接続する際の無極性化を図ることができる。
【発明の効果】
【００４４】
本発明は、分岐端子に接続されている端末器からの伝送信号の送信時には受信経路よりも伝送損失の小さい送信経路に切り替わるように、端末器間の信号伝送に用いる経路を切り替えているので、端末器間で信号伝送を行う際には、伝送信号を送信する側の端末器が接続された分岐器で生じる分岐損失を従来構成に比べて低減することができ、端末器間での伝送損失を低減することができるという利点がある。
【発明を実施するための最良の形態】
【００４５】
以下の各実施形態で説明する分岐器は、背景技術の欄で説明した図１６に示す伝送システムに用いられるものである。この伝送システムは、平衡線路（ペア線）からなる幹線Ｃａ１〜Ｃａｍ（以下、各々を特に区別しないときには単に幹線Ｃａという）と当該幹線Ｃａから分岐された複数の分岐線Ｃｂ１〜Ｃｂｍ（以下、各々を特に区別しないときには単に分岐線Ｃｂという）とを含む伝送線路と、各分岐線Ｃｂの先端にそれぞれ接続された複数台の端末器Ａ１〜Ａｍ（以下、各々を特に区別しないときは単に端末器Ａという）とを備え、これら複数台の端末器Ａ間で伝送線路を介して信号伝送を行う。ここに、端末器Ａを配線端（分岐線Ｃｂの先端）に接続する場合には、通常、端末器Ａは伝送線路とのインピーダンス整合（インピーダンスマッチング）を実現するために、伝送線路の特性インピーダンスに近いインピーダンスに設定されている。分岐器Ｂ１〜Ｂｍ（以下、各々を特に区別しないときには単に分岐器Ｂという）は、伝送線路を構成する幹線Ｃａと分岐線Ｃｂとの各分岐点にそれぞれ挿入され、インピーダンスの不整合による伝送信号の反射等の影響を抑制する。なお、図１６の例では幹線Ｃａにも親機となる端末器Ａ０が１台接続されており、この親機Ａ０と分岐線Ｃｂに接続された端末器Ａとの間でも通信が可能である。
【００４６】
（実施形態１）
本実施形態の分岐器Ｂは、図１に示すように、幹線Ｃａに接続される幹線端子Ｔａ，Ｔｂと、分岐線Ｃｂに接続される分岐端子Ｔｃ，Ｔｄとを有している。なお、ここでは分岐線Ｃｂ１を介して端末器Ａ１が接続された分岐器Ｂ１を例として説明するが、他の分岐器Ｂも同様の構成および機能を有している。
【００４７】
ここで、幹線Ｃａおよび分岐線Ｃｂはペア線からなるので、幹線端子Ｔａ，Ｔｂおよび分岐端子Ｔｃ，Ｔｄはそれぞれ２個１組として設けられている。さらに、この分岐器Ｂは幹線Ｃａにおける分岐線Ｃｂの分岐点となる各部位に挿入される形で接続されるので、幹線端子Ｔａ，Ｔｂは、幹線Ｃａの上流側（図１の左側）と幹線Ｃａの下流側（図１の右側）とのそれぞれに対応して２組設けられており、上流側と下流側とが互いに接続された構成を有する。ただし、上流側の幹線端子Ｔａ，Ｔｂと下流側の幹線端子Ｔａ’，Ｔｂ’とは電気的に等価であるから、以下ではこれらを特に区別しないときには単に幹線端子Ｔａ，Ｔｂという。
【００４８】
ここにおいて、幹線端子Ｔａ，Ｔｂと分岐端子Ｔｃ，Ｔｄとの間には、端末器Ａ間で送受信される伝送信号を通す経路として、受信経路Ｒｘ１と送信経路Ｔｘ１との２つの経路が形成されている。
【００４９】
受信経路Ｒｘ１は、幹線端子Ｔａ，Ｔｂ側を１次巻線、分岐端子Ｔｃ，Ｔｄ側を２次巻線とするトランスＴ１と、トランスＴ１の１次巻線の各端部と各幹線端子Ｔａ，Ｔｂとの間にそれぞれ挿入された抵抗Ｒ１，Ｒ２と、トランスＴ１の２次巻線の各端部と各分岐端子との間にそれぞれ挿入された直流カット用のコンデンサＣ１，Ｃ２とを有する。ここでは、トランスＴ１の１次巻線の巻数Ｎ１と２次巻線の巻数Ｎ２との比である巻数比ｎ（＝Ｎ１／Ｎ２）を、
ｎ＞１（つまり、Ｎ１＞Ｎ２）
としてある。
【００５０】
送信経路Ｔｘ１は、各幹線端子Ｔａ，Ｔｂと各分岐端子Ｔｃ，Ｔｄとの間に、幹線端子Ｔａ，Ｔｂ側をコンデンサ、分岐端子Ｔｃ，Ｔｄ側をダイオードとする形でそれぞれ挿入されたダイオードＤ１，Ｄ２および直流カット用のコンデンサＣ３，Ｃ４の直列回路を有する。さらに、各コンデンサＣ３，Ｃ４と各幹線端子Ｔａ，Ｔｂとの間にはそれぞれ抵抗Ｒ３，Ｒ４が挿入される。ここで、一方の分岐端子Ｔｃ側のダイオードＤ１は分岐端子Ｔｃ側をアノードとし、他方の分岐端子Ｔｄ側のダイオードＤ２は分岐端子Ｔｄ側をカソードとする向きに挿入されている。さらに、コンデンサＣ３，Ｃ４とダイオードＤ１，Ｄ２との各接続点間には直流バイパス用のインダクタＬ１が接続されている。しかして、一方の分岐端子Ｔｃと他方の分岐端子Ｔｄとの間には、ダイオードＤ１とインダクタＬ１とダイオードＤ２との直列回路が形成される。
【００５１】
ここにおいて、幹線端子Ｔａ，Ｔｂと分岐端子Ｔｃ，Ｔｄとの間を交流の伝送信号が通過する際、受信経路Ｒｘ１ではトランスＴ１における損失が生じるのに対し、送信経路Ｔｘ１では殆ど損失が生じないので、受信経路Ｒｘ１と送信経路Ｔｘ１とを比較すると、送信経路Ｔｘ１を通過する場合の方が伝送信号の伝送損失は小さくなる。
【００５２】
ところで、本実施形態では、分岐線Ｃｂを介して分岐端子Ｔｃ，Ｔｄに接続される端末器Ａ（ここではＡ１）は、分岐器Ｂを介して他の端末器Ａ（ここではＡ０，Ａ２〜Ａｍ）との間で伝送信号を授受する機能に加え、他の端末器Ａに対して伝送信号を送信する際に直流のバイアス電圧を出力する機能を有している。
【００５３】
詳述すると、端末器Ａには伝送信号を送信する送信モードと伝送信号を受信する待機モードとの２つの動作モードがあり、別々の分岐器Ｂに接続された端末器Ａ間で信号伝送を行う場合には、伝送信号を送信する側の端末器Ａは送信モードで動作し、伝送信号を受信する側の端末器Ａは待機モードで動作する。そして、端末器Ａは送信モードにおいて、分岐線Ｃｂを介して分岐器Ｂに直流のバイアス電圧を印加するとともに、当該バイアス電圧に重畳させる形で交流の伝送信号を送出する。ここで、端末器Ａは、前記バイアス電圧の正極がダイオードＤ１のアノードに接続された分岐端子Ｔｃ側、負極がダイオードＤ２のカソードに接続された分岐端子Ｔｄ側となるように、分岐器Ｂに接続する際の極性が決定される。
【００５４】
しかして、分岐端子Ｔｃ，Ｔｄに接続されている端末器Ａ１が、他の端末器Ａｍに対して伝送信号を送信するときには、端末器Ａ１から分岐端子Ｔｃ，Ｔｄ間に直流のバイアス電圧が印加され、これにより、ダイオードＤ１、インダクタＬ１、ダイオードＤ２の経路で直流電流が流れてダイオードＤ１，Ｄ２がオンする。すなわち、ダイオードＤ１，Ｄ２およびインダクタＬ１の直列回路は、端末器Ａからの直流電力供給を受けて端末器Ａ間の信号伝送に用いる経路を受信経路Ｒｘ１と送信経路Ｔｘ１との間で切り替える切替手段として機能する。
【００５５】
以下では、上述した構成の分岐器Ｂの動作について説明する。
【００５６】
分岐端子Ｔｃ，Ｔｄに接続された端末器Ａが待機モードにあれば、分岐端子Ｔｃ，Ｔｄ間には端末器Ａからバイアス電圧が印加されないので、ダイオードＤ１，Ｄ２はオフとなる。これにより、幹線端子Ｔａ，Ｔｂと分岐端子Ｔｃ，Ｔｄとの間を通過する交流の伝送信号は、受信経路Ｒｘ１を通ることになり、送信経路Ｔｘ１を通ることはない。したがって、この状態で、別の分岐器Ｂに接続された端末器Ａから伝送信号が送信されると、この伝送信号は抵抗Ｒ１，Ｒ２とトランスＴ１とコンデンサＣ１，Ｃ２とからなる受信経路Ｒｘ１を介して幹線端子Ｔａ，Ｔｂ側から分岐端子Ｔｃ，Ｔｄ側へ分岐器Ｂを通過し、分岐端子Ｔｃ，Ｔｄに接続されている端末器Ａで受信されることとなる。
【００５７】
これに対して、分岐端子Ｔｃ，Ｔｄに接続された端末器Ａが伝送信号を送信するために送信モードになると、上述したように端末器Ａが一方の分岐端子Ｔｃを正極、他方の分岐端子Ｔｄを負極とするバイアス電圧を出力することで、ダイオードＤ１，Ｄ２がオンする。これにより、送信経路Ｔｘ１を介して幹線端子Ｔａ，Ｔｂと分岐端子Ｔｃ，Ｔｄとの間が交流的に短絡された状態となり、分岐端子Ｔｃ，Ｔｄと幹線端子Ｔａ，Ｔｂとの間を通過する交流の伝送信号は、送信経路Ｔｘ１を通ることとなる。したがって、この状態で、分岐端子Ｔｃ，Ｔｄに接続されている端末器Ａから伝送信号が送信されると、この伝送信号はダイオードＤ１，Ｄ２とコンデンサＣ３，Ｃ４と抵抗Ｒ３，Ｒ４とからなる送信経路Ｔｘ１を介して分岐端子Ｔｃ，Ｔｄ側から幹線端子Ｔａ，Ｔｂ側へ分岐器Ｂを通過し、幹線Ｃａに送出されることとなる。
【００５８】
なお、図１では、端末器Ａ１にて受信される伝送信号の流れを１点差線で模式的に表し、端末器Ａ１から送信される伝送信号の流れを２点鎖線で模式的に表している。
【００５９】
ここで、分岐端子Ｔｃ，Ｔｄ間への印加電圧が両ダイオードＤ１，Ｄ２の順方向降下電圧の和（以下、オン電圧という）以上のときにダイオードＤ１，Ｄ２がオンするので、バイアス電圧に重畳される伝送信号によって分岐端子Ｔｃ，Ｔｄ間への印加電圧が変動しても前記オン電圧を下回ることがないように、バイアス電圧の大きさは、前記オン電圧に伝送信号の振幅を加算した値以上に設定されている。なお、コンデンサＣ１〜Ｃ４は交流の伝送信号のみを通過させるので、端末器Ａから分岐端子Ｔｃ，Ｔｄ間に印加されるバイアス電圧が幹線Ｃａ側に出力されることはなく、バイアス電圧に重畳された伝送信号のみが幹線Ｃａ側に送出される。
【００６０】
以上説明した構成によれば、分岐器Ｂは、分岐端子Ｔｃ，Ｔｄに接続されている端末器Ａが待機モードであれば受信経路Ｒｘ１を介して幹線端子Ｔａ，Ｔｂから分岐端子Ｔｃ，Ｔｄへ伝送信号を通過させるのに対し、当該端末器Ａが送信モードになると伝送損失の比較的少ない送信経路Ｔｘ１を介して分岐端子Ｔｃ，Ｔｄから幹線端子Ｔａ，Ｔｂへ伝送信号を通過させるので、端末器Ａが伝送信号を送信する際には、当該端末器Ａが接続されている分岐器Ｂを通過する際の伝送信号の分岐損失を低減することができる。結果的に、別々の分岐器Ｂに接続された端末器Ａ間で信号伝送を行うに当たり、従来は各端末器Ａが接続されている分岐器Ｂでそれぞれ分岐損失を生じていたのに対して、本実施形態の分岐器Ｂを用いれば送信側の端末器Ａが接続されている分岐器Ｂでの分岐損失を低減できるので、伝送信号の伝送損失を低減することができるという利点がある。
【００６１】
また、分岐器Ｂを用いてインピーダンスの不整合（ミスマッチ）による反射等の影響を抑制するためには、前述したように、分岐器Ｂに接続された端末器Ａでの伝送信号の受信時において、幹線Ｃａ側から分岐線Ｃｂ側を見たときのインピーダンスが伝送線路の特性インピーダンスよりも高くなっていることと、分岐器Ｂに接続された端末器Ａからの伝送信号の送信時において、分岐線Ｃｂ側から幹線Ｃａ側を見たときのインピーダンスが伝送線路の特性インピーダンスと一致していることとの２つの条件を満たす必要がある。
【００６２】
ここに、本実施形態の分岐器Ｂは、分岐端子Ｔｃ，Ｔｄに接続されている端末器Ａが待機モードであれば受信経路Ｒｘ１を形成しており、このときトランスＴ１の巻数比ｎはｎ＞１（つまり、Ｎ１＞Ｎ２）となるため、１つ目の条件は満たされる。なお、このとき幹線Ｃａ側から見た分岐線Ｃｂ側のインピーダンスＺ１は、伝送線路の特性インピーダンスＺａ、抵抗Ｒ１，Ｒ２の各抵抗値ｒ１，ｒ２を用いて、
Ｚ１＝ｎ２×Ｚａ＋ｒ１＋ｒ２
と表される。
【００６３】
さらに、端末器Ａが送信モードになると、送信経路Ｔｘ１に切り替わるので、このときの分岐線Ｃｂ側から見た幹線Ｃａ側のインピーダンスＺ２は、伝送線路の特性インピーダンスＺａ、抵抗Ｒ３，Ｒ４の各抵抗値ｒ３，ｒ４を用いて、
Ｚ２＝（１／ｎ）２×（ｒ３＋ｒ４＋Ｚａ／２）
で表されるので、抵抗Ｒ３，Ｒ４の抵抗値ｒ３，ｒ４が、
Ｚａ≒（１／ｎ）２×（ｒ３＋ｒ４＋Ｚａ／２）
を満たすことで、上記２つ目の条件も満たされる。
【００６４】
（実施形態２）
本実施形態の分岐器Ｂは、端末器Ａからの直流電力供給を受けて端末器Ａ間の信号伝送に用いる経路を切り替える切替手段の構成が実施形態１の分岐器Ｂと相違する。
【００６５】
すなわち、送信経路Ｔｘ１においては、直流バイパス用のインダクタＬ１が省略され、図２に示すように各コンデンサＣ３，Ｃ４と各分岐端子Ｔｃ，Ｔｄとの間にリレーＲｙ１，Ｒｙ２の接点Ｒａ１，Ｒａ２がダイオードＤ１，Ｄ２に代えてそれぞれ挿入されるとともに、各リレーＲｙ１，Ｒｙ２の励磁コイルＲｃ１，Ｒｃ２の直列回路が分岐端子Ｔｃ，Ｔｄ間に接続されている。さらに、受信経路Ｒｘ１においては、各コンデンサＣ１，Ｃ２と各分岐端子Ｔｃ，Ｔｄとの間にリレーＲｙ３，Ｒｙ４の接点Ｒｂ３，Ｒｂ３がそれぞれ挿入されるとともに、各リレーＲｙ３，Ｒｙ４の励磁コイルＲｃ３，Ｒｃ４の直列回路が分岐端子Ｔｃ，Ｔｄ間に接続されている。
【００６６】
ここに、送信経路Ｔｘ１側のリレーＲｙ１，Ｒｙ２の接点Ｒａ１，Ｒａ２はいずれも、励磁コイルＲｃ１，Ｒｃ２の非励磁時にはオフ、励磁時にオンとなる常開接点（ａ接点）であって、受信経路Ｒｘ１側のリレーＲｙ３，Ｒｙ４の接点Ｒｂ３，Ｒｂ４はいずれも、励磁コイルＲｃ３，Ｒｃ４の非励磁時にはオン、励磁時にオフとなる常閉接点（ｂ接点）である。
【００６７】
以下に、上記構成の分岐器Ｂの動作について説明する。
【００６８】
分岐端子Ｔｃ，Ｔｄに接続された端末器Ａが待機モードにあれば、分岐端子Ｔｃ，Ｔｄ間には端末器Ａからバイアス電圧が印加されないので、リレーＲｙ１〜Ｒｙ４の励磁コイルＲｃ１〜Ｒｃ４はいずれも非励磁となり、接点Ｒａ１，Ｒａ２はオフ、接点Ｒｂ３，Ｒｂ４はオンとなる。したがって、この状態で、別の分岐器Ｂに接続された端末器Ａから伝送信号が送信されると、この伝送信号は抵抗Ｒ１，Ｒ２とトランスＴ１とコンデンサＣ１，Ｃ２と接点Ｒｂ３，Ｒｂ４とからなる受信経路Ｒｘ１を介して幹線端子Ｔａ，Ｔｂ側から分岐端子Ｔｃ，Ｔｄ側へ分岐器Ｂを通過し、分岐端子Ｔｃ，Ｔｄに接続されている端末器Ａで受信されることとなる。
【００６９】
これに対して、分岐端子Ｔｃ，Ｔｄに接続された端末器Ａが伝送信号を送信するために送信モードになると、分岐端子Ｔｃ，Ｔｄ間には端末器Ａからバイアス電圧が印加されるので、リレーＲｙ１〜Ｒｙ４の励磁コイルＲｃ１〜Ｒｃ４はいずれも励磁され、接点Ｒａ１，Ｒａ２はオン、接点Ｒｂ３，Ｒｂ４はオフとなる。これにより、送信経路Ｔｘ１を介して幹線端子Ｔａ，Ｔｂと分岐端子Ｔｃ，Ｔｄとの間が交流的に短絡され、且つ接点Ｒｂ３，Ｒｂ４によって受信経路Ｒｘ１が分岐端子Ｔｃ，Ｔｄから電気的に切り離された状態となり、分岐端子Ｔｃ，Ｔｄと幹線端子Ｔａ，Ｔｂとの間を通過する交流の伝送信号は、送信経路Ｔｘ１を通ることとなる。したがって、この状態で、分岐端子Ｔｃ，Ｔｄに接続されている端末器Ａから伝送信号が送信されると、この伝送信号は接点Ｒａ１，Ｒａ２とコンデンサＣ３，Ｃ４と抵抗Ｒ３，Ｒ４とからなる送信経路Ｔｘ１を介して分岐端子Ｔｃ，Ｔｄ側から幹線端子Ｔａ，Ｔｂ側へ分岐器Ｂを通過し、幹線Ｃａに送出されることとなる。
【００７０】
なお、図２では、端末器Ａ１にて受信される伝送信号の流れを１点差線で模式的に表し、端末器Ａ１から送信される伝送信号の流れを２点鎖線で模式的に表している。
【００７１】
以上説明した構成によれば、分岐器Ｂは、分岐端子Ｔｃ，Ｔｄに接続されている端末器Ａが送信モードにあれば、伝送損失の比較的少ない送信経路Ｔｘ１を介して分岐端子Ｔｃ，Ｔｄから幹線端子Ｔａ，Ｔｂへ伝送信号を通過させるとともに、受信経路Ｒｘ１に関しては分岐端子Ｔｃ，Ｔｄから電気的に切り離すことができる。したがって、端末器Ａから送信される伝送信号が分岐端子Ｔｃ，Ｔｄから受信経路Ｒｘ１側に漏洩することによる伝送損失をなくすことができ、伝送信号の伝送損失を一層低減することができる。
【００７２】
なお、本実施形態では、ダイオードＤ１，Ｄ２に代えてリレーＲｙ１〜Ｒｙ４を用いたことで、分岐端子Ｔｃ，Ｔｄ間に端末器Ａから印加されるバイアス電圧の極性に関係なく、受信経路Ｒｘ１と送信経路Ｔｘ１とを切り替えることが可能であるから、分岐器Ｂに端末器Ａを接続する際の極性を無視することができる。その他の構成および機能は実施形態１と同様である。
【００７３】
（実施形態３）
本実施形態の分岐器Ｂは、受信経路と送信経路とが一部を共用している点が実施形態１の分岐器Ｂと相違する。
【００７４】
本実施形態では、図３に示すように受信経路を形成する抵抗Ｒ１，Ｒ２に代えてコンデンサＣ３，Ｃ４および抵抗Ｒ３，Ｒ４の直列回路をトランスＴ１の１次巻線の各端部と各幹線端子Ｔａ，Ｔｂとの間にそれぞれ挿入し、さらに、各分岐端子Ｔｃ，ＴｄとトランスＴ１の１次巻線の各端部との間にそれぞれダイオードＤ１，Ｄ２を接続してある。これにより、トランスＴ１の１次巻線を直流バイパス用のインダクタとして利用することができ、端末器Ａから分岐端子Ｔｃ，Ｔｄ間にバイアス電圧が印加されたときには、ダイオードＤ１、トランスＴ１の１次巻線、ダイオードＤ２の経路で直流電流が流れてダイオードＤ１，Ｄ２がオンする。
【００７５】
以下に、上記構成の分岐器Ｂの動作について説明する。
【００７６】
分岐端子Ｔｃ，Ｔｄに接続された端末器Ａが待機モードにあれば、分岐端子Ｔｃ，Ｔｄ間には端末器Ａからバイアス電圧が印加されないので、ダイオードＤ１，Ｄ２はオフとなる。したがって、この状態で、別の分岐器Ｂに接続された端末器Ａから伝送信号が送信されると、この伝送信号は抵抗Ｒ３，Ｒ４とコンデンサＣ３，Ｃ４とトランスＴ１とコンデンサＣ１，Ｃ２とからなる受信経路を介して幹線端子Ｔａ，Ｔｂ側から分岐端子Ｔｃ，Ｔｄ側へ分岐器Ｂを通過し、分岐端子Ｔｃ，Ｔｄに接続されている端末器Ａで受信されることとなる。
【００７７】
これに対して、分岐端子Ｔｃ，Ｔｄに接続された端末器Ａが伝送信号を送信するために送信モードになると、分岐端子Ｔｃ，Ｔｄ間には端末器Ａからバイアス電圧が印加されるので、ダイオードＤ１，Ｄ２がオンする。したがって、この状態で、分岐端子Ｔｃ，Ｔｄに接続されている端末器Ａから伝送信号が送信されると、この伝送信号はダイオードＤ１，Ｄ２とコンデンサＣ３，Ｃ４と抵抗Ｒ３，Ｒ４とからなる送信経路を介して分岐端子Ｔｃ，Ｔｄ側から幹線端子Ｔａ，Ｔｂ側へ分岐器Ｂを通過し、幹線Ｃａに送出されることとなる。
【００７８】
なお、図３では、端末器Ａ１にて受信される伝送信号の流れを１点差線で模式的に表し、端末器Ａ１から送信される伝送信号の流れを２点鎖線で模式的に表している。
【００７９】
本実施形態の構成によれば、トランスＴ１を迂回する迂回路（ダイオードＤ１，Ｄ２）を送信経路に用いることで、受信経路と送信経路とで一部（コンデンサＣ３，Ｃ４および抵抗Ｒ３，Ｒ４）を共有しているから、受信経路と送信経路とを個別に形成する場合に比べて、回路構成が簡単になり、部品点数も削減できるという利点がある。
【００８０】
また、本実施形態の他の構成例として、図４に示すように受信経路を形成するコンデンサＣ１，Ｃ２に代えてダイオードＤ３，Ｄ４を各分岐端子Ｔｃ，ＴｄとトランスＴ１の２次巻線の各端部との間にそれぞれ接続することが考えられる。ここで、端末器Ａから印加されるバイアス電圧の正極側となる分岐端子ＴｃにダイオードＤ３のカソードが接続され、負極側となる分岐端子ＴｄにダイオードＤ４のアノードが接続される。さらに、図４の例では、分岐線Ｃｂを介して分岐端子Ｔｃ，Ｔｄに接続される端末器Ａは、待機モードにおいて送信モードのバイアス電圧（以下、順バイアス電圧ともいう）とは逆極性の直流電圧（以下、逆バイアス電圧という）を出力する機能を有するものとする。
【００８１】
しかして、端末器Ａから分岐端子Ｔｃ，Ｔｄ間に逆バイアス電圧が印加されたときには、ダイオードＤ４、トランスＴ１の２次巻線、ダイオードＤ３の経路で直流電流が流れてダイオードＤ３，Ｄ４がオンする。
【００８２】
以下、図４に示す構成の分岐器Ｂの動作について説明する。
【００８３】
分岐端子Ｔｃ，Ｔｄに接続された端末器Ｂが待機モードにあれば、分岐端子Ｔｃ，Ｔｄ間には端末器Ａから逆バイアス電圧が印加されるので、ダイオードＤ１，Ｄ２はオフ、ダイオードＤ３，Ｄ４はオンとなる。したがって、この状態で、別の分岐器Ｂに接続された端末器Ａから伝送信号が送信されると、この伝送信号は抵抗Ｒ３，Ｒ４とコンデンサＣ３，Ｃ４とトランスＴ１とダイオードＤ３，Ｄ４とからなる受信経路を介して幹線端子Ｔａ，Ｔｂ側から分岐端子Ｔｃ，Ｔｄ側へ分岐器Ｂを通過し、分岐端子Ｔｃ，Ｔｄに接続されている端末器Ａで受信されることとなる。
【００８４】
これに対して、分岐端子Ｔｃ，Ｔｄに接続された端末器Ａが伝送信号を送信するために送信モードになると、分岐端子Ｔｃ，Ｔｄ間には端末器Ａから順バイアス電圧が印加されるので、ダイオードＤ１，Ｄ２はオン、ダイオードＤ３，Ｄ４はオフとなる。これにより、送信経路を介して幹線端子Ｔａ，Ｔｂと分岐端子Ｔｃ，Ｔｄとの間が交流的に短絡され、且つダイオードＤ３，Ｄ４によって受信経路が分岐端子Ｔｃ，Ｔｄから電気的に切り離された状態となり、分岐端子Ｔｃ，Ｔｄと幹線端子Ｔａ，Ｔｂとの間を通過する交流の伝送信号は、送信経路を通ることとなる。したがって、この状態で、分岐端子Ｔｃ，Ｔｄに接続されている端末器Ａから伝送信号が送信されると、この伝送信号はダイオードＤ１，Ｄ２とコンデンサＣ３，Ｃ４と抵抗Ｒ３，Ｒ４とからなる送信経路を介して分岐端子Ｔｃ，Ｔｄ側から幹線端子Ｔａ，Ｔｂ側へ分岐器Ｂを通過し、幹線Ｃａに送出されることとなる。
【００８５】
なお、図４では、端末器Ａ１にて受信される伝送信号の流れを１点差線で模式的に表し、端末器Ａ１から送信される伝送信号の流れを２点鎖線で模式的に表している。
【００８６】
このように、図４の構成によれば、分岐器Ｂは、分岐端子Ｔｃ，Ｔｄに接続されている端末器Ａが送信モードにあれば、伝送損失の比較的少ない送信経路を介して分岐端子Ｔｃ，Ｔｄから幹線端子Ｔａ，Ｔｂへ伝送信号を通過させるとともに、受信経路に関しては分岐端子Ｔｃ，Ｔｄから電気的に切り離すことができる。したがって、端末器Ａから送信される伝送信号が分岐端子Ｔｃ，Ｔｄから受信経路側に漏洩することによる伝送損失をなくすことができ、伝送信号の伝送損失を一層低減することができる。
【００８７】
なお、その他の構成および機能は実施形態１と同様である。
【００８８】
（実施形態４）
本実施形態の分岐器Ｂは、図５に示すように、トランスＴ１およびコンデンサＣ１，Ｃ２を省略し、ダイオードＤ１，Ｄ２とそれぞれ並列に接続された抵抗（抵抗素子）Ｒ１，Ｒ２を受信経路の構成要素として設けた点が実施形態３の分岐器Ｂと相違する。ここではさらに、ダイオードＤ１のカソードとダイオードＤ２のアノードとの間に接続され、ダイオードＤ１側をアノードとするダイオードＤ５を付加してある。これにより、端末器Ａから分岐端子Ｔｃ，Ｔｄ間にバイアス電圧が印加されたときには、ダイオードＤ１、ダイオードＤ５、ダイオードＤ２の経路で直流電流が流れてダイオードＤ１，Ｄ２，Ｄ５がオンする。
【００８９】
以下、本実施形態の分岐器Ｂの動作について説明する。
【００９０】
分岐端子Ｔｃ，Ｔｄに接続された端末器Ａが待機モードにあれば、分岐端子Ｔｃ，Ｔｄ間には端末器Ａからバイアス電圧が印加されないので、ダイオードＤ１，Ｄ２，Ｄ５はオフとなる。したがって、この状態で、別の分岐器Ｂに接続された端末器Ａから伝送信号が送信されると、この伝送信号は抵抗Ｒ３，Ｒ４とコンデンサＣ３，Ｃ４と抵抗Ｒ１，Ｒ２とからなる受信経路を介して幹線端子Ｔａ，Ｔｂ側から分岐端子Ｔｃ，Ｔｄ側へ分岐器Ｂを通過し、分岐端子Ｔｃ，Ｔｄに接続されている端末器Ａで受信されることとなる。
【００９１】
これに対して、分岐端子Ｔｃ，Ｔｄに接続された端末器Ａが伝送信号を送信するために送信モードになると、分岐端子Ｔｃ，Ｔｄ間には端末器Ａからバイアス電圧が印加されるので、ダイオードＤ１，Ｄ２，Ｄ５がオンする。したがって、この状態で、分岐端子Ｔｃ，Ｔｄに接続されている端末器Ａから伝送信号が送信されると、この伝送信号はダイオードＤ１，Ｄ２とコンデンサＣ３，Ｃ４と抵抗Ｒ３，Ｒ４とからなる送信経路を介して分岐端子Ｔｃ，Ｔｄ側から幹線端子Ｔａ，Ｔｂ側へ分岐器Ｂを通過し、幹線Ｃａに送出されることとなる。ここに、ダイオードＤ１，Ｄ２は抵抗Ｒ１，Ｒ２を迂回する迂回路を形成する。
【００９２】
なお、図５では、端末器Ａ１にて受信される伝送信号の流れを１点差線で模式的に表し、端末器Ａ１から送信される伝送信号の流れを２点鎖線で模式的に表している。
【００９３】
本実施形態の構成によれば、トランスＴ１に代えて抵抗Ｒ１，Ｒ２を受信経路の構成要素に用いているから、トランスＴ１を用いる場合に比べて、分岐器Ｂの小型化を図ることができる。
【００９４】
なお、その他の構成および機能は実施形態３と同様である。
【００９５】
（実施形態５）
本実施形態の分岐器Ｂは、受信経路と送信経路とでトランスＴ１を共用し、トランスＴ１の巻数比ｎ（＝Ｎ１／Ｎ２）を切り替えることで受信経路と送信経路とを切り替える構成とした点が実施形態３の分岐器Ｂと相違する。また、ここでは、分岐線Ｃｂを介して分岐端子Ｔｃ，Ｔｄに接続された端末器Ａは、送信モードではなく待機モードで直流のバイアス電圧を出力するように構成されているものとする。
【００９６】
この分岐器Ｂは、図３に示す実施形態３の分岐器Ｂと基本構成が共通しており、図６に示すようにコンデンサＣ１〜Ｃ４を省略してトランスＴ１の１次巻線の各端部と各幹線端子Ｔａ，Ｔｂとを抵抗Ｒ３，Ｒ４を介して接続し、さらに、２次巻線の一端部を一方の分岐端子Ｔｃに直接接続するとともに２次巻線の他端部を他方の分岐端子Ｔｄに直流カット用のコンデンサＣ５を介して接続した構成を有する。送信経路を形成するダイオードＤ１，Ｄ２は省略されている。
【００９７】
ここで、トランスＴ１の２次巻線には中間タップＴｐ１が１箇所形成されており、この中間タップＴｐ１と前記他方の分岐端子Ｔｄとの間に挿入されたダイオードＤ６を受信経路の構成要素として設けてある。ダイオードＤ６は、端末器Ａから印加されるバイアス電圧の負極側となる分岐端子Ｔｄと中間タップＴｐ１との間に、中間タップＴｐ１側をアノードとして接続される。これにより、トランスＴ１の２次巻線の一部を直流バイパス用のインダクタとして利用することができ、端末器Ａから分岐端子Ｔｃ，Ｔｄ間にバイアス電圧が印加されたときには、トランスＴ１の２次巻線の一部分（前記一端部と中間タップＴｐ１との間）、ダイオードＤ６の経路で直流電流が流れてダイオードＤ６がオンする。
【００９８】
以下、上述した構成の分岐器Ｂの動作について説明する。
【００９９】
分岐端子Ｔｃ，Ｔｄに接続された端末器Ａが待機モードにあれば、分岐端子Ｔｃ，Ｔｄ間には端末器Ａからバイアス電圧が印加され、ダイオードＤ６がオンする。したがって、この状態で、別の分岐器Ｂに接続された端末器Ａから伝送信号が送信されると、この伝送信号は抵抗Ｒ３，Ｒ４とトランスＴ１とダイオードＤ６とからなる受信経路を介して幹線端子Ｔａ，Ｔｂ側から分岐端子Ｔｃ，Ｔｄ側へ分岐器Ｂを通過し、分岐端子Ｔｃ，Ｔｄに接続されている端末器Ａで受信されることとなる。
【０１００】
これに対して、分岐端子Ｔｃ，Ｔｄに接続された端末器Ａが伝送信号を送信するために送信モードになると、分岐端子Ｔｃ，Ｔｄ間には端末器Ａからバイアス電圧が印加されないので、ダイオードＤ６はオフとなる。したがって、この状態で、分岐端子Ｔｃ，Ｔｄに接続されている端末器Ａから伝送信号が送信されると、この伝送信号はコンデンサＣ５とトランスＴ１と抵抗Ｒ３，Ｒ４とからなる送信経路を介して分岐端子Ｔｃ，Ｔｄ側から幹線端子Ｔａ，Ｔｂ側へ分岐器Ｂを通過し、幹線Ｃａに送出されることとなる。
【０１０１】
なお、図６では、端末器Ａ１にて受信される伝送信号の流れを１点差線で模式的に表し、端末器Ａ１から送信される伝送信号の流れを２点鎖線で模式的に表している。
【０１０２】
ここで、受信経路と送信経路とのいずれにも同じトランスＴ１が含まれているものの、受信経路においては、トランスＴ１の２次巻線の一部分（前記一端部と中間タップＴｐ１との間）を伝送信号が通るのに対し、送信経路においては、トランスＴ１の２次巻線の全体を伝送信号が通るので、実質的に、受信経路と送信経路とではトランスＴ１の巻線比ｎが変化する。すなわち、トランスＴ１の１次巻線の巻数Ｎ１は一定であるのに対して、トランスＴ１の２次巻線の巻数Ｎ２は受信経路の方が送信経路より実質的に少なくなるので、トランスＴ１の巻数比ｎ（＝Ｎ１／Ｎ２）は受信経路の方が送信経路より大きくなる。
【０１０３】
具体例としては、トランスＴ１として巻数比ｎ＝１のものを用いた場合、トランスＴ１の巻数比ｎは、送信経路では１のままであって、受信経路では１よりも大きい値となる。仮に中間タップＴｐ１が２次巻線を２等分する位置に設けられていれば、トランスＴ１の２次巻線の巻数Ｎ２は受信経路では実質的にＮ２／２となるから、巻数比ｎ＝２となる。
【０１０４】
ここに、端末器Ａから送信された伝送信号を分岐端子Ｔｃ，Ｔｄ側（２次巻線）から幹線端子Ｔａ，Ｔｂ側（１次巻線）に伝達するに当たっては、トランスＴ１の巻数比ｎが小さくなるほど伝送損失を小さく抑えることができる。
【０１０５】
要するに、分岐端子Ｔｃ，Ｔｄに接続された端末器Ａから見ると、分岐器ＢのインピーダンスＺ２は、伝送線路の特性インピーダンスＺａおよび抵抗Ｒ３，Ｒ４の抵抗値ｒ３，ｒ４を用いて、
Ｚ２＝（１／ｎ）２×（ｒ３＋ｒ４＋Ｚａ／２）
で表されるので、巻数比ｎが大きくなるほど、端末器Ａから見た分岐器ＢのインピーダンスＺ２が小さくなる。端末器Ａから送信される伝送信号は、端末器Ａの内部抵抗（図示せず）と分岐器ＢのインピーダンスＺ２との分圧比で取り出されるので、インピーダンスＺ２が小さくなると、分岐器Ｂで取り出される伝送信号の電圧が低下するとともに端末器Ａの内部抵抗での損失が増加する。これに対して、本実施形態では、端末器Ａが伝送信号を送信する際に、トランスＴ１の巻数比ｎを小さくして端末器Ａから見た分岐器ＢのインピーダンスＺ２を大きくすることで、内部抵抗における伝送信号の損失を低減している。
【０１０６】
したがって、上述の構成によれば、端末器Ａが伝送信号を送信する際に、当該端末器Ａが接続されている分岐器Ｂを通過する際の伝送信号の分岐損失を低減することができる。しかも、本実施形態の構成では、実施形態３の構成に比べてさらに回路構成が簡単になり、部品点数を削減できるという利点がある。
【０１０７】
ところで、本実施形態の他の構成例として、図７に示すようにダイオードＤ６に代えてツェナダイオードＺＤ６を用いることも考えられる。ツェナダイオードＺＤ６は、ダイオードＤ６とは逆向き（つまり、中間タップＴｐ１側をカソードとする向き）で接続される。この構成では、分岐端子Ｔｃ，Ｔｄ間への印加電圧がツェナダイオードＺＤ６のツェナ電圧（オン電圧）以上のときにツェナダイオードＺＤ６がオンする。
【０１０８】
すなわち、ダイオードＤ６を用いた図６の構成では、端末器Ａが送信モードであってバイアス電圧が印加されていない状態でも、ダイオードＤ６の順方向降下電圧（一般的には約０．６〜０．８Ｖ）を超える伝送信号が入力されることでダイオードＤ６がオンし、受信経路に切り替わる可能性がある。これに対し、ツェナダイオードＺＤ６を用いた図７の構成では、伝送信号の振幅電圧以上のツェナ電圧のツェナダイオードＺＤ６を用いれば、端末器Ａが送信モードであってバイアス電圧が印加されていない状態においては、伝送信号が入力されることで受信経路に切り替わることはないという利点がある。
【０１０９】
ただし、ツェナダイオードＺＤ６は、一般にアノード−カソード間の浮遊容量が通常のダイオードに比較して大きいので、図７の構成では、伝送信号が高周波信号の場合に、端末器Ａが送信モードであってバイアス電圧が印加されていない状態でも、ツェナダイオードＺＤ６の浮遊容量を経由して伝送信号が受信経路を通過してしまう可能性がある。
【０１１０】
そこで、本実施形態のさらに他の構成例として、図８に示すようにツェナダイオードＺＤ６に直列にダイオードＤ６を接続することが考えられる。この構成では、分岐端子Ｔｃ，Ｔｄ間への印加電圧がダイオードＤ６の順方向降下電圧とツェナダイオードＺＤ６のツェナ電圧との和（オン電圧）以上のときにダイオードＤ６およびツェナダイオードＺＤ６がオンする。
【０１１１】
これにより、ツェナダイオードＺＤ６の浮遊容量を経由して伝送信号が通過しようとしても、浮遊容量の小さいダイオードＤ６で伝送信号の経路を遮断することができるので、端末器Ａが送信モードであってバイアス電圧が印加されていない状態で、伝送信号が受信経路を通過してしまうことを防止することができる。
【０１１２】
なお、図７および図８では、端末器Ａ１から印加されるバイアス電圧によって流れる直流電流を破線で模式的に表している。その他の構成および機能は実施形態３と同様である。
【０１１３】
（実施形態６）
本実施形態の分岐器Ｂは、トランスＴ１の２次巻線と分岐端子Ｔｃ，Ｔｄとの間の回路構成が実施形態５の分岐器Ｂと相違する。また、ここでは分岐線Ｃｂを介して分岐端子Ｔｃ，Ｔｄに接続された端末器Ａは、待機モードではなく送信モードで直流のバイアス電圧を出力するように構成されているものとする。
【０１１４】
すなわち、本実施形態では、図９に示すようにトランスＴ１の２次巻線に中間タップＴｐ１，Ｔｐ２が２箇所形成されており、一方の中間タップＴｐ１と一方の分岐端子Ｔｃとの間に挿入された抵抗Ｒ６およびコンデンサＣ６の直列回路、並びに他方の中間タップＴｐ２と他方の分岐端子Ｔｄとの間に挿入された抵抗Ｒ７およびコンデンサＣ７の直列回路を受信経路の構成要素として設けてある。
【０１１５】
また、トランスＴ１の２次巻線の各端部と各分岐端子Ｔｃ，Ｔｄとの間にそれぞれダイオードＤ１，Ｄ２を送信経路の構成要素として設けてある。ここで、端末器Ａから印加されるバイアス電圧の正極側となる分岐端子ＴｃにダイオードＤ１のアノードが接続され、負極側となる分岐端子ＴｄにダイオードＤ２のカソードが接続される。これにより、トランスＴ２の２次巻線を直流バイパス用のインダクタとして利用でき、端末器Ａから分岐端子Ｔｃ，Ｔｄ間にバイアス電圧が印加されたときには、ダイオードＤ１、トランスＴ１の２次巻線、ダイオードＤ２の経路で直流電流が流れてダイオードＤ１，Ｄ２がオンする。
【０１１６】
以下、上述した構成の分岐器Ｂの動作について説明する。
【０１１７】
分岐端子Ｔｃ，Ｔｄに接続された端末器Ａが待機モードにあれば、分岐端子Ｔｃ，Ｔｄ間には端末器Ａからバイアス電圧が印加されないので、ダイオードＤ１，Ｄ２はオフとなる。したがって、この状態で、別の分岐器Ｂに接続された端末器Ａから伝送信号が送信されると、この伝送信号は抵抗Ｒ３，Ｒ４とトランスＴ１と抵抗Ｒ６，Ｒ７とコンデンサＣ６，Ｃ７とからなる受信経路を介して幹線端子Ｔａ，Ｔｂ側から分岐端子Ｔｃ，Ｔｄ側へ分岐器Ｂを通過し、分岐端子Ｔｃ，Ｔｄに接続されている端末器Ａで受信されることとなる。
【０１１８】
これに対して、分岐端子Ｔｃ，Ｔｄに接続された端末器Ａが伝送信号を送信するために送信モードになると、分岐端子Ｔｃ，Ｔｄ間には端末器Ａからバイアス電圧が印加され、ダイオードＤ１，Ｄ２がオンする。したがって、この状態で、分岐端子Ｔｃ，Ｔｄに接続されている端末器Ａから伝送信号が送信されると、この伝送信号はダイオードＤ１，Ｄ２とトランスＴ１と抵抗Ｒ３，Ｒ４とからなる送信経路を介して分岐端子Ｔｃ，Ｔｄ側から幹線端子Ｔａ，Ｔｂ側へ分岐器Ｂを通過し、幹線Ｃａに送出されることとなる。
【０１１９】
なお、図９では、端末器Ａ１にて受信される伝送信号の流れを１点差線で模式的に表し、端末器Ａ１から送信される伝送信号の流れを２点鎖線で模式的に表している。さらに、端末器Ａ１から印加されるバイアス電圧によって流れる直流電流を破線で模式的に表している。
【０１２０】
ここで、受信経路と送信経路とのいずれにも同一のトランスＴ１が含まれているものの、受信経路においては、トランスＴ１の２次巻線の一部分（両中間タップＴｐ１，Ｔｐ２の間）を伝送信号が通るのに対し、送信経路においては、トランスＴ１の２次巻線の全体を伝送信号が通るので、実施形態５の場合と同様に、受信経路と送信経路とではトランスＴ１の巻線比ｎが変化する。すなわち、トランスＴ１の巻数比ｎ（＝Ｎ１／Ｎ２）は受信経路の方が送信経路より大きくなる。
【０１２１】
上述した本実施形態の構成によれば、端末器Ａは伝送信号を送信するための送信モードにある状態でのみバイアス電圧を分岐端子Ｔｃ，Ｔｄ間に印加するのであって、待機モードにある受信待ちの状態ではバイアス電圧を印加することはない。したがって、待機モードにある端末器Ａの待機電力（消費電力）を低く抑えることができ、端末器Ａを主に待機モードで動作させる場合に端末器Ａの低消費電力化を図ることができる。しかも、トランスＴ１の２次側にダイオードＤ１，Ｄ２を設けているから、ダイオードＤ１，Ｄ２をオンするためのバイアス電圧をトランスＴ１の１次側に印加する必要はなく、バイアス電圧に関してトランスＴ１の１次側と２次側との間を電気的に絶縁することができる。
【０１２２】
ところで、本実施形態の他の構成例として、図１０に示すようにダイオードＤ１，Ｄ２に代えてツェナダイオードＺＤ１，Ｄ２を用いることも考えられる。ツェナダイオードＺＤ１は、ダイオードＤ１とは逆向き（つまり、分岐端子Ｔｃ側をカソードとする向き）で接続される。この構成では、分岐端子Ｔｃ，Ｔｄ間への印加電圧がツェナダイオードＺＤ１のツェナ電圧とツェナダイオードＺＤ２の順方向降下電圧との和（オン電圧）以上のときにツェナダイオードＺＤ１，ＺＤ２がオンする。
【０１２３】
すなわち、ダイオードＤ１，Ｄ２を用いた図９の構成では、端末器Ａが待機モードであってバイアス電圧が印加されていない状態でも、ダイオードＤ１，Ｄ２の順方向降下電圧の和（オン電圧）を超える伝送信号が入力されることでダイオードＤ１，Ｄ２がオンし、送信経路に切り替わる可能性がある。これに対し、ツェナダイオードＺＤ１，ＺＤ２を用いた図１０の構成では、伝送信号の振幅電圧以上のツェナ電圧のツェナダイオードＺＤ１，ＺＤ２を用いれば、端末器Ａが待機モードであってバイアス電圧が印加されていない状態においては、伝送信号が入力されることで送信経路に切り替わることはないという利点がある。
【０１２４】
ただし、ツェナダイオードＺＤ１，ＺＤ２は、一般にアノード−カソード間の浮遊容量が通常のダイオードに比較して大きいので、図１０の構成では、伝送信号が高周波信号の場合に、端末器Ａが待機モードであってバイアス電圧が印加されていない状態でも、ツェナダイオードＺＤ１，ＺＤ２の浮遊容量を経由して伝送信号が送信経路を通過してしまう可能性がある。
【０１２５】
そこで、本実施形態のさらに他の構成例として、図１１に示すようにツェナダイオードＺＤ１と直列にダイオードＤ１を接続し、ツェナダイオードＺＤ２と直列にダイオードＤ２を接続することが考えられる。この構成では、分岐端子Ｔｃ，Ｔｄ間への印加電圧が両ダイオードＤ１，Ｄ２の順方向降下電圧の和とツェナダイオードＺＤ１のツェナ電圧とツェナダイオードＺＤ２の順方向降下電圧との総和（オン電圧）以上のときにダイオードＤ１，Ｄ２およびツェナダイオードＺＤ１，ＺＤ２がオンする。
【０１２６】
これにより、ツェナダイオードＺＤ１，ＺＤ２の浮遊容量を経由して伝送信号が通過しようとしても、浮遊容量の小さいダイオードＤ１，Ｄ２で伝送信号の経路を遮断することができるので、端末器Ａが受信モードであってバイアス電圧が印加されていない状態で、伝送信号が送信経路を通過してしまうことを防止することができる。
【０１２７】
なお、その他の構成および機能は実施形態５と同様である。
【０１２８】
（実施形態７）
本実施形態の分岐器Ｂは、トランスＴ１の１次巻線の巻数Ｎ１を変化させることにより巻数比ｎ（＝Ｎ１／Ｎ２）を変化させるようにした点、およびトランスＴ１周辺の回路構成が実施形態６の分岐器Ｂと相違する。
【０１２９】
すなわち、本実施形態では、図１２に示すようにトランスＴ１の２次巻線には中間タップは形成されておらず、２次巻線の各端部をそれぞれコンデンサＣ１，Ｃ２を介して各分岐端子Ｔｃ，Ｔｄに接続してある。さらに、トランスＴ１の１次巻線の一端部と一方の幹線端子Ｔａとの間に挿入された抵抗Ｒ８およびコンデンサＣ８の直列回路、並びに１次巻線の他端部と他方の幹線端子Ｔｂとの間に挿入された抵抗Ｒ９およびコンデンサＣ９の直列回路を受信経路の構成要素として設けてある。抵抗Ｒ８，Ｒ９はそれぞれコンデンサＣ３，Ｃ４を介して各幹線端子Ｔａ，Ｔｂに接続される。
【０１３０】
また、トランスＴ１の１次巻線には中間タップＴｐ１，Ｔｐ２が２箇所形成されており、一方の中間タップＴｐ１と抵抗Ｒ８−コンデンサＣ３の接続点との間に挿入されたダイオードＤ１および抵抗Ｒ３の直列回路、並びに他方の中間タップＴｐ２と抵抗Ｒ９−コンデンサＣ４の接続点との間に挿入されたダイオードＤ２および抵抗Ｒ４の直列回路を送信経路の構成要素として設けてある。さらに、抵抗Ｒ８−コンデンサＣ３の接続点は、直流バイパス用の抵抗Ｒ１０およびインダクタＬ２の直列回路を介して一方の分岐端子Ｔｃに接続され、抵抗Ｒ９−コンデンサＣ４の接続点は、直流バイパス用の抵抗Ｒ１１およびインダクタＬ３の直列回路を介して他方の分岐端子Ｔｄに接続されている。
【０１３１】
ここで、端末器Ａから印加されるバイアス電圧の正極側となる分岐端子ＴｃにダイオードＤ１のアノードが抵抗Ｒ３と抵抗Ｒ１０とインダクタＬ２とを介して接続され、負極側となる分岐端子ＴｄにダイオードＤ２のカソードが抵抗Ｒ４と抵抗Ｒ１１とインダクタＬ３とを介して接続される。これにより、端末器Ａから分岐端子Ｔｃ，Ｔｄ間にバイアス電圧が印加されたときには、インダクタＬ２、抵抗Ｒ１０、抵抗Ｒ３、ダイオードＤ１、トランスＴ１の１次巻線の一部分（両中間タップＴｐ１，Ｔｐ２の間）、ダイオードＤ２、抵抗Ｒ４、抵抗Ｒ１１、インダクタＬ３の経路で直流電流が流れてダイオードＤ１，Ｄ２がオンする。
【０１３２】
以下、上述した構成の分岐器Ｂの動作について説明する。
【０１３３】
分岐端子Ｔｃ，Ｔｄに接続された端末器Ａが待機モードにあれば、分岐端子Ｔｃ，Ｔｄ間には端末器Ａからバイアス電圧が印加されないので、ダイオードＤ１，Ｄ２はオフとなる。したがって、この状態で、別の分岐器Ｂに接続された端末器Ａから伝送信号が送信されると、この伝送信号はコンデンサＣ３，Ｃ４と抵抗Ｒ８，Ｒ９とコンデンサＣ８，Ｃ９とトランスＴ１とコンデンサＣ１，Ｃ２とからなる受信経路を介して幹線端子Ｔａ，Ｔｂ側から分岐端子Ｔｃ，Ｔｄ側へ分岐器Ｂを通過し、分岐端子Ｔｃ，Ｔｄに接続されている端末器Ａで受信されることとなる。
【０１３４】
これに対して、分岐端子Ｔｃ，Ｔｄに接続された端末器Ａが伝送信号を送信するために送信モードになると、分岐端子Ｔｃ，Ｔｄ間には端末器Ａからバイアス電圧が印加され、ダイオードＤ１，Ｄ２がオンする。したがって、この状態で、分岐端子Ｔｃ，Ｔｄに接続されている端末器Ａから伝送信号が送信されると、この伝送信号はコンデンサＣ１，Ｃ２とトランスＴ１とダイオードＤ１，Ｄ２と抵抗Ｒ３，Ｒ４とコンデンサＣ３，Ｃ４とからなる送信経路を介して分岐端子Ｔｃ，Ｔｄ側から幹線端子Ｔａ，Ｔｂ側へ分岐器Ｂを通過し、幹線Ｃａに送出されることとなる。
【０１３５】
なお、図１２では、端末器Ａ１にて受信される伝送信号の流れを１点差線で模式的に表し、端末器Ａ１から送信される伝送信号の流れを２点鎖線で模式的に表している。さらに、端末器Ａ１から印加されるバイアス電圧によって流れる直流電流を破線で模式的に表している。
【０１３６】
ここで、受信経路と送信経路とのいずれにも同一のトランスＴ１が含まれているものの、送信経路においては、トランスＴ１の１次巻線の一部分（両中間タップＴｐ１，Ｔｐ２の間）を伝送信号が通るのに対し、受信経路においては、トランスＴ１の１次巻線の全体を伝送信号が通るので、実施形態６の場合と同様に、受信経路と送信経路とではトランスＴ１の巻線比ｎが変化する。すなわち、トランスＴ１の巻数比ｎ（＝Ｎ１／Ｎ２）は受信経路の方が送信経路より大きくなる。
【０１３７】
具体例としては、トランスＴ１として巻数比ｎ＞１のものを用い、１次巻線のうち両中間タップＴｐ１，Ｔｐ２の間の巻数Ｎ１’と２次巻線の巻数Ｎ２とが一致するように、中間タップＴｐ１，Ｔｐ２の位置を設定すれば、トランスＴ１の巻数比ｎは、送信経路では１となり、受信経路では１よりも大きい値となる。
【０１３８】
上述した本実施形態の構成によれば、トランスＴ１の１次巻線の巻数Ｎ１を切り替えるようにしたことで、トランスＴ１の１次側の受信経路に送信経路とは別に抵抗Ｒ８，Ｒ９を挿入することが可能となる。要するに、２次巻線の巻数Ｎ２を切り替える実施形態５や実施形態６の構成では、トランスＴ１の１次巻線と幹線端子Ｔａ，Ｔｂとの間の経路は送信経路と受信経路とで同一になるので、トランスＴ１の１次側の受信経路に抵抗を挿入すると、送信経路にも同じ抵抗が挿入されることとなり、この抵抗分だけ送信経路の伝送損失が大きくなる。これに対して、本実施形態の構成では、トランスＴ１の１次巻線と幹線端子Ｔａ，Ｔｂとの間の経路は送信経路と受信経路とで分かれているので、１次側において送信経路と受信経路とのそれぞれに個別に抵抗を挿入することができ、送信経路の伝送損失の増大を抑えながらも、受信経路のインピーダンスを高めることが可能となる。そのため、２次巻線の巻数Ｎ２を切り替える場合に比べて、端末器Ａが待機モードにある状態での幹線Ｃａ側から見た分岐線Ｃｂ側のインピーダンスを高くできるという利点がある。
【０１３９】
また、本実施形態の他の構成例として、図１３に示すようにダイオードＤ１，Ｄ２に代えてツェナダイオードＺＤ１，Ｄ２を用いることも考えられる。ツェナダイオードＺＤ１は、ダイオードＤ１とは逆向き（つまり、分岐端子Ｔｃ側をカソードとする向き）で接続される。この構成では、分岐端子Ｔｃ，Ｔｄ間への印加電圧がツェナダイオードＺＤ１のツェナ電圧とツェナダイオードＺＤ２の順方向降下電圧と抵抗Ｒ３，Ｒ４，Ｒ１０，Ｒ１１およびインダクタＬ２，Ｌ３での降下電圧との和（オン電圧）以上のときにツェナダイオードＺＤ１，ＺＤ２がオンする。
【０１４０】
本実施形態のさらに他の構成例として、図１４に示すようにツェナダイオードＺＤ１と直列にダイオードＤ１を接続し、ツェナダイオードＺＤ２と直列にダイオードＤ２を接続することも考えられる。この構成では、分岐端子Ｔｃ，Ｔｄ間への印加電圧が両ダイオードＤ１，Ｄ２の順方向降下電圧の和とツェナダイオードＺＤ１のツェナ電圧とツェナダイオードＺＤ２の順方向降下電圧と抵抗Ｒ３，Ｒ４，Ｒ１０，Ｒ１１およびインダクタＬ２，Ｌ３での降下電圧との総和（オン電圧）以上のときにダイオードＤ１，Ｄ２およびツェナダイオードＺＤ１，ＺＤ２がオンする。
【０１４１】
なお、その他の構成および機能は実施形態６と同様である。
【０１４２】
ところで、上述した実施形態２以外の各実施形態の分岐器（図４の構成を除く）においては、端末器Ａから印加されるバイアス電圧の極性が限定されているが、このバイアス電圧の極性を無極性化することも考えられる。すなわち、切替手段としてのダイオードに、別のダイオードを逆並列に接続することにより、バイアス電圧の極性に関係なく、バイアス電圧印加時にいずれかのダイオードをオンすることが可能となる。
【０１４３】
たとえば、図６の構成であれば、図１５に示すようにダイオード（第１切替部）Ｄ６と逆並列にダイオード（第２切替部）Ｄ６’を付加することによって、バイアス電圧の非印加時にはいずれのダイオードＤ６，Ｄ６’もオフであるのに対し、ダイオードＤ６のアノード側を正極とするバイアス電圧の印加時にはダイオードＤ６がオンし、一方、ダイオードＤ６のカソード側を正極とするバイアス電圧の印加時にはダイオードＤ６’がオンする。このように端末器Ａから印加されるバイアス電圧の極性に関係なく受信経路と送信経路とを切り替える構成とすれば、分岐器Ｂに端末器Ａを接続する際の極性を無視することができる。
【図面の簡単な説明】
【０１４４】
【図１】本発明の実施形態１の構成を示す概略回路図である。
【図２】本発明の実施形態２の構成を示す概略回路図である。
【図３】本発明の実施形態３の構成を示す概略回路図である。
【図４】同上の他の構成を示す概略回路図である。
【図５】本発明の実施形態４の構成を示す概略回路図である。
【図６】本発明の実施形態５の構成を示す概略回路図である。
【図７】同上の他の構成を示す概略回路図である。
【図８】同上のさらに他の構成を示す概略回路図である。
【図９】本発明の実施形態６の構成を示す概略回路図である。
【図１０】同上の他の構成を示す概略回路図である。
【図１１】同上のさらに他の構成を示す概略回路図である。
【図１２】本発明の実施形態７の構成を示す概略回路図である。
【図１３】同上の他の構成を示す概略回路図である。
【図１４】同上のさらに他の構成を示す概略回路図である。
【図１５】図６の構成の変形例を示す概略回路図である。
【図１６】本発明の分岐器を用いた伝送システムを示す概略システム構成図である。
【図１７】従来の分岐器の構成を示す概略回路図である。
【図１８】同上の動作説明図である。
【符号の説明】
【０１４５】
Ａ，Ａ０〜Ａｍ  端末器
Ｂ，Ｂ１〜Ｂｍ  分岐器
Ｃ６〜Ｃ９  コンデンサ
Ｃａ，Ｃａ１〜Ｃａｍ  幹線
Ｃｂ，Ｃｂ１〜Ｃｂｍ  分岐線
Ｄ１，Ｄ２，Ｄ６  ダイオード
Ｄ６’  ダイオード（第２切替部）
Ｒ１，Ｒ２  抵抗素子
Ｒ６〜Ｒ９  抵抗
Ｒｘ１  受信経路
Ｔ１  トランス
Ｔａ，Ｔｂ  幹線端子
Ｔｃ，Ｔｄ  分岐端子
Ｔｐ１，Ｔｐ２  中間タップ
Ｔｘ１  送信経路
ＺＤ１，ＺＤ２，ＺＤ６  ツェナダイオード
【図１】
2010010782.tif 000003
【図２】
2010010782.tif 000004
【図３】
2010010782.tif 000005
【図４】
2010010782.tif 000006
【図５】
2010010782.tif 000007
【図６】
2010010782.tif 000008
【図７】
2010010782.tif 000009
【図８】
2010010782.tif 000010
【図９】
2010010782.tif 000011
【図１０】
2010010782.tif 000012
【図１１】
2010010782.tif 000013
【図１２】
2010010782.tif 000014
【図１３】
2010010782.tif 000015
【図１４】
2010010782.tif 000016
【図１５】
2010010782.tif 000017
【図１６】
2010010782.tif 000018
【図１７】
2010010782.tif 000019
【図１８】
2010010782.tif 000020